(57)【要約】【課題】可撓性を有するシート状の光学的情報記録媒体である光ディスクに関する。詳しくは、光ディスクがフレキシブルディスクとフレキシブルディスク用アダプタとからなるフレキシブルディスク用アダプタに関する。【解決手段】  書き込みあるいは読み取りを行なう光学的情報記録媒体である光ディスクが可撓性を有するシート状のフレキシブルディスクに用いるフレキシブルディスク用アダプタであって、前記フレキシブルディスク用アダプタの回転により、ベルヌーイの法則に基づく空気流の圧力差によって、シート状のフレキシブルディスクがフレキシブルディスク用アダプタに吸着する吸着手段が形成されていることを特徴とするフレキシブルディスク用アダプタ。【選択図】図１
2007335024.tif 000002
【特許請求の範囲】
【請求項１】
書き込みあるいは読み取りを行なう光学的情報記録媒体である光ディスクが可撓性を有するシート状のフレキシブルディスクに用いるフレキシブルディスク用アダプタであって、
前記フレキシブルディスク用アダプタの回転により、ベルヌーイの法則に基づく空気流の圧力差によって、シート状のフレキシブルディスクがフレキシブルディスク用アダプタに吸着する吸着手段が形成されていることを特徴とするフレキシブルディスク用アダプタ。
【請求項２】
前記吸着手段がフレキシブルディスク用アダプタの回転によりフレキシブルディスク用アダプタのクランピングエリア近傍から外周端縁に形成されている流路と交わる複数個の空気吸気孔がフレキシブルディスク用アダプタの下部に具備されていることを特徴とする請求項１に記載のフレキシブルディスク用アダプタ。
【発明の詳細な説明】
【技術分野】
【０００１】
本発明は、可撓性を有するシート状の光学的情報記録媒体である光ディスクに関する。詳しくは、光ディスクがフレキシブルディスクとフレキシブルディスク用アダプタとからなるフレキシブルディスク用アダプタに関する。
【背景技術】
【０００２】
近年、光ディスクの大容量化が進んでいる。そして、ＣＤ、ＤＶＤよりもさらに高密度・大容量化したＢｌｕ−ｒａｙ  Ｄｉｓｃ（以下ＢＤと記す）が商品化されてきている。
【０００３】
前記ＢＤは単層で２時間のハイビジョンの映像が記録可能な２５ＧＢの大容量メディアである。そして、高密度に記録するために信号を記録するピットを小さくし１ディスク当たりに記録できる容量を増やしている。
【０００４】
このため、より小さいピットの有無を読み取るためにレーザーの波長を４０５ｎｍと短くし、０．８５の高ＮＡのレンズを用いて分解能を高めていると共に、ディスク構造も最適化されてきている。
【０００５】
また、Ｂｌｕ−ｒａｙ  Ｄｉｓｃは、図５に示すようにベース基板・記録層１と反射層２と透明カバー層３を積層した構造になっている。
【０００６】
また、ＢＤの製造方法は、信号記録パターンを形成したスタンパーの金型を射出成形機に取り付けて射出形成する。そして、信号記録層を有する１．１ｍｍのディスク基板が作製される。
【０００７】
次に、蒸着装置により、アルミや銀等の金属を用いてディスク基板の上面をスパッタリングし、反射層が形成される。そして、反射層が形成されたディスクが作製される。
【０００８】
そして、さらに接着剤を用いて透明カバー層と貼り合わせるか、または、ＵＶ樹脂等を用いてスピンコーターにより、反射層が形成されたディスクの上面を塗工し、硬化させ総厚１．２ｍｍのディスクを作製する。
【０００９】
また、新しい光ディスクの製造方法の一つに基板と記録層を別に作製し、貼り合わせてディスクを作製する方法も提案されている。
【００１０】
さらに、基板と記録層を別に作製し、貼り合わせシート状の状態でディスク形状に打ち抜く光ディスクおよびその製造方法も知られている（例えば、特許文献１参照。）。
【００１１】
この光ディスクおよびその製造方法は図６および図７に示すように樹脂が含浸された樹脂含浸紙または樹脂で被覆された樹脂被覆紙からなる基板１２１と、記録層１２２とを有する記録層シートが貼り合わされている。
【００１２】
さらに、基板１２１上に記録層シートが貼り合わされた後、図５に示すようにシート状の状態でディスク形状に打ち抜かれる。
【００１３】
また、ロール方式において、記録層シートに反射膜を成膜した１００μｍのフィルムに、薄いフィルムを接着剤で貼り合せるか、または、樹脂を塗布し硬化させることで数１００μｍのフレキシブルディスクが作製されているのも知られている（例えば、特許文献２
参照。）。
【００１４】
前記フレキシブルディスクは可撓性を持つため、例えば、雑誌等に付録として付けた際、雑誌を曲げることが出来る。そして、取り扱いが容易である。さらに、ディスクを曲げてしまい読み込めなくなるということを防ぐ効果がある。
【００１５】
また、薄いため、使用する材料が少なく、材料コストが低く抑えられる。そして、販売コストも安くなる。
【００１６】
以下に先行技術文献を示す。
【特許文献１】特開２００５−３０２２０８号公報
【特許文献２】特開平６−２２３４０７号公報
【発明の開示】
【発明が解決しようとする課題】
【００１７】
しかしながら、フレキシブルディスクは数１００μｍと薄く可撓性をもつため、直接ドライブで読むことは難しい。
【００１８】
このため、前記フレキシブルディスク専用のドライブが必要となる。そして、専用のドライブは汎用性が乏しく、且つ、製造コストが上昇するという問題がある。
【００１９】
本発明はこのような従来技術の問題を解決しようとするものであり、専用のドライブを用いることなく、通常のドライブ読み取ることできるレキシブルディスク等に使用できるフレキシブルディスク用アダプタを提供することを目的とする。
【課題を解決するための手段】
【００２０】
上記問題点を解決するために、本発明の請求項１に係る発明は、
書き込みあるいは読み取りを行なう光学的情報記録媒体である光ディスクが可撓性を有するシート状のフレキシブルディスクに用いるフレキシブルディスク用アダプタであって、
前記フレキシブルディスク用アダプタの回転により、ベルヌーイの法則に基づく空気流の圧力差によって、シート状のフレキシブルディスクがフレキシブルディスク用アダプタに吸着する吸着手段が形成されていることを特徴とするフレキシブルディスク用アダプタである。
【００２１】
本発明の請求項２に係る発明は、
前記吸着手段がフレキシブルディスク用アダプタの回転によりフレキシブルディスク用アダプタのクランピングエリア近傍から外周端縁に形成されている流路と交わる複数個の空気吸気孔がフレキシブルディスク用アダプタの下部に具備されていることを特徴とする請求項１に記載のフレキシブルディスク用アダプタである。
【発明の効果】
【００２２】
本発明のフレキシブルディスク用アダプタは、以上の構成からなるので、フレキシブルディスクがフレキシブルディスク用アダプタに安定して吸着される。
【００２３】
そして、専用のディスクを用いることなく、通常のディスクでフレキシブルディスクの面ぶれや、反りもなく安定して情報記録を読むことができる。
【発明を実施するための最良の形態】
【００２４】
本発明のフレキシブルディスク用アダプタを実施の形態に沿って以下に図面を参照にしながら詳細に説明する。図１〜図３は本発明の一実施例を示す。
【００２５】
本発明のフレキシブルディスク用アダプタは図１〜図３に示すように、フレキシブルディスク用アダプタの中央にセンターホールが形成されている。そして、センターホールの外周縁にクランピングエリアが形成されている。図１は本発明のフレキシブルディスク用アダプタの平面の断面を示す断面図である。
【００２６】
また、本発明のフレキシブルディスク用アダプタは図２にしめすように、該アダプタの内部に該アダプタと平行に流路が形成されている。
【００２７】
そして、この流路は図１に示すように中央から回転方向とは逆方向に伸びていて外側端面に達している。そして、外側端面には、流路が穿設されている。
【００２８】
また、フレキシブルディスク用アダプタが回転することで外側の側面から中の空気が吸い出され、中央から外側へと流れる気流が発生する。
【００２９】
また、その流路の図２の下側に複数個の孔が形成されている。そして、フレキシブルディスク用アダプタの下から空気を吸い込む構造になっている。その吸引力によりフレキシブルディスクが吸い寄せられフレキシブルディスク用アダプタと吸着するという構造に形成されている。従ってフレキシブルディスクは、図２に示すアダプタの下側に付くことになる。
【００３０】
次に、図４は、本発明のフレキシブルディスク用アダプタに用いられるフレキシブルディスクの構成の一実施例の概略を示す断面図である。
【００３１】
図４に示すように、本発明のフレキシブルディスク用アダプタに用いられるフレキシブルディスクは透明基材８フィルム上に記録層７と、反射層６と、接着剤５を介して保護フィルム４が順次積層されている。
【００３２】
前記透明基材８フィルムは、レーザーでのピックアップのため透明で、膜厚が均一で、複屈折のないポリカーボネートフィルムが好ましく用いられるが、特に限定するものではない。
【００３３】
また、記録層７はＵＶ硬化樹脂等が用いられる。そして、耐摩傷性や、硬さ、強度等からアクリル樹脂が好ましく用いられるが、特に限定するものではない。
【００３４】
また、反射層６の成膜方法としては、蒸着、イオンプレーティング、スパッタ等があるが成膜速度が速く、大面積の成膜が可能で、低コスト化が可能なスパッタ法が好ましく用いられる。
【００３５】
そして、反射層６材料として金、銀、銅、アルミやそれらの合金等があるが、４０５ｎｍでの反射率が有り、且つ、耐久性が有り、コストが低いアルミ合金が好ましく用いられる。そして、好ましい反射層６としては、アルミ合金でスパッタにより５０ｎｍ程度の膜厚に形成される。
【００３６】
また、保護フィルム４は、記録層７と反射層６等をキズなどから保護する効果効果を付加する。
【００３７】
以下に、本発明の具体的実施例を挙げて、さらに詳しく説明するが、それに限定されるものではない。
【実施例１】
【００３８】
ポリカーボネート基材にアクリル樹脂で記録パターンを転写により記録層を形成した。そして、記録層の上面にアルミ合金５０ｎｍスパッタし、反射層を形成した。
【００３９】
さらに、反射層の上面に接着剤を介して１５０μｍのポリエチレンテレフタレートフィルムにより保護フィルムを積層して総厚計３００μｍのフレキシブルディスクを作製した。
【００４０】
また、フレキシブルディスク用アダプタはポリエチレン樹脂を用いて図３に示すようにクランピングエリア０を含む直径３３ｍｍより内側のみ９００μｍの厚さとし、それより外側を１１００μｍとした。そして、大きさの規格の最大値にすることで剛性を持たせた。この時、フレキシブルディスクは、図３に示すアダプタの下側に付く。
【産業上の利用可能性】
【００４１】
本発明のフレキシブルディスク用アダプタは光学的情報記録媒体であるフレキシブルディスク用として使用できることはもとより、機械分野等にも使用できる素晴らしい発明である。
【図面の簡単な説明】
【００４２】
【図１】本発明のフレキシブルディスク用アダプタの平面断面を示す断面図である。
【図２】図１のＡ−Ａ′線断面の拡大図である。
【図３】図１のＢ−Ｂ′線断面の拡大図である。
【図４】本発明のフレキシブルディスク用アダプタに用いられるフレキシブルディスクの構成の一例の断面を示す断面図である。
【図５】ＢＤを説明するための断面説明図である。
【図６】従来の光ディスクを説明するための断面説明図である。
【図７】従来の光ディスクを説明するための断面説明図である。
【符号の説明】
【００４３】
１…ベース基板・記録層
２…反射層
３…カバー層
４…保護フィルム
５…接着剤
６…反射層
７…記録層
８…透明基材
９…流路
１０…クランピングエリア
１１…センターホール
【図１】
2007335024.tif 000003
【図２】
2007335024.tif 000004
【図３】
2007335024.tif 000005
【図４】
2007335024.tif 000006
【図５】
2007335024.tif 000007
【図６】
2007335024.tif 000008
【図７】
2007335024.tif 000009